(57)【特許請求の範囲】
【請求項１】
使用者が着座する便座と、該便座を覆う上面板および該上面板の外周縁から下方に延伸する側面板から少なくとも構成される便蓋と、該便蓋を回動可能に取り付ける回動軸を両側面に一つずつ設けた本体とを備えた大便器に載置される衛生洗浄装置において、
前記便蓋は、弾性変形可能な材質によって構成されるとともに、該便蓋の前記側面板は、前記本体の前記回動軸のそれぞれに対向する位置から一体的に内方に突出させるようにそれぞれ形成された回動軸取付部を有し、
該一対の回動軸取付部には、筒形状に形成された挿入穴がそれぞれ形成され、
前記便蓋は、該便蓋を弾性変形させることによって、前記本体の後端部より前方に設けられた前記回動軸の端部に対して、前記挿入穴が抜き差しされることで、前記便蓋が前記本体に対して着脱可能に支持され、
前記便蓋の前記側面板には、該側面板及び前記回動軸取付部と一体成型されるとともに、前記回動軸を前記回動軸取付部の挿入穴から抜く際に前記側面板に作用する曲げ力に伴う変形を抑制するための補強部材が前記便蓋の両側の前記側面板の内側にそれぞれ独立して設けられ、
前記補強部材は、前記便蓋の前記側面板と前記上面板の境界部を跨いで該境界部付近の前記上面板裏面に固定されているとともに、前記便蓋を開いた状態において、前記側面板の前後方向における後端から前方に延伸するように設けられることによって、前記側面板の曲げ強度および前記便蓋の前記側面板と前記上面板の境界部付近の曲げ強度が前記上面板の中央部に対して高くなるよう構成する一方で、
前記便蓋の前記上面板は、前記一対の回動軸取付部間の前記上面板が切り欠かれており、
前記便蓋は更に、前記回動軸取付部に対応する前記便蓋の幅方向長さが、前記便蓋を開いた状態において、前記便蓋の上方に向かうに従って拡大するようその外形形状が形成されていることを特徴とする衛生洗浄装置。
【発明の詳細な説明】
【技術分野】
【０００１】
本発明は、使用者が着座する便座と、該便座を覆うと共に上面板および該上面板に接続された側面板から少なくとも構成される便蓋と、該便蓋の回動軸と、該回動軸を収納する本体とを備えており大便器に載置される衛生洗浄装置に関する。
【背景技術】
【０００２】
従来の衛生洗浄装置は、使用者が着座する便座と、該便座を覆うと共に上面板および該上面板に接続された側面板から少なくとも構成される便蓋と、該便蓋の回動軸と、該回動軸を収納する本体と備えている。
そして、便蓋における本体との接続部(回動軸取付部)は、便蓋回動軸に同心円となるような円筒形状で構成され、便蓋の立壁部（側面板）から突出している（例えば、特許文献１参照。）。
【先行技術文献】
【特許文献】
【０００３】
【特許文献１】特開２０１４−０９４１８９号公報
【発明の概要】
【発明が解決しようとする課題】
【０００４】
特許文献１に記載の衛生洗浄装置では、便蓋を本体から取り外すために便蓋の立壁部を手で押し広げて便蓋を変形させていた。
しかしながら、特許文献１に記載の衛生洗浄装置の便蓋構造においては、便蓋の立壁部を手で押し広げると、立壁部は変形するものの、便蓋回動軸を接続部から外せるほどに開くには、かなりの力が必要となり、便蓋を本体から取り外し難いという課題があった。
【０００５】
そこで、本発明は、前述したような従来技術の問題を解決するものであって、すなわち、本発明の目的は、簡便に便蓋を本体から取り外せる衛生洗浄装置を提供することである。
【課題を解決するための手段】
【０００６】
本発明に係る衛生洗浄装置は、使用者が着座する便座と、該便座を覆う上面板および該上面板の外周縁から下方に延伸する側面板から少なくとも構成される便蓋と、該便蓋を回動可能に取り付ける回動軸を両側面に一つずつ設けた本体とを備えた大便器に載置される衛生洗浄装置において、前記便蓋は、弾性変形可能な材質によって構成されるとともに、該便蓋の前記側面板は、前記本体の前記回動軸のそれぞれに対向する位置から一体的に内方に突出させるようにそれぞれ形成された回動軸取付部を有し、該一対の回動軸取付部には、閉じた筒形状に形成された挿入穴がそれぞれ形成され、前記便蓋は、該便蓋を弾性変形させることによって、前記本体の後端部より前方に設けられた前記回動軸の端部に対して、前記挿入穴が抜き差しされることで、前記便蓋が前記本体に対して着脱可能に支持され、前記便蓋の前記側面板には、該側面板及び前記回動軸取付部と一体成型されるとともに、前記回動軸を前記回動軸取付部の挿入穴から抜く際に前記側面板に作用する曲げ力に伴う変形を抑制するための補強部材が前記便蓋の両側の前記側面板の内側にそれぞれ独立して設けられ、前記補強部材は、前記便蓋の前記側面板と前記上面板の境界部を跨いで該境界部付近の前記上面板裏面に固定されているとともに、前記便蓋を開いた状態において、前記側面板の前後方向における後端から前方に延伸するように設けられることによって、前記側面板の曲げ強度および前記便蓋の前記側面板と前記上面板の境界部付近の曲げ強度が前記上面板の中央部に対して高くなるよう構成する一方で、前記便蓋の前記上面板は、前記一対の回動軸取付部間の前記上面板が切り欠かれており、前記便蓋は更に、前記回動軸取付部に対応する前記便蓋の幅方向長さが、前記便蓋を開いた状態において、前記便蓋の上方に向かうに従って拡大するようその外形形状が形成されていることにより、前述した課題を解決するものである。
【０００７】
本発明の衛生洗浄装置は、便蓋の曲げ強度を増す補強部材が、回動軸取付部と一体となっていることにより、使用者が便蓋を本体から取り外すために回動軸取付部を掴んで回動軸の軸方向に便蓋の側面板を広げる時に、上面板と側面板との境界部を支点とする側面板の回動軸外方への曲げが抑制されるため、使用者が便蓋に印加した力が便蓋を回動軸の軸方向に集約されて、簡便に便蓋を本体から取り外すことができる。
【０００８】
また、より好ましい態様の衛生洗浄装置は、前記上面板と接続されている前記補強部材が、前記便蓋を開いた状態において前記回動軸取付部より上方で前記側面板の前後方向における一端から前記上面板と接続されている他端まで前記側面板と接続されており、前記便蓋を開いた状態において前記補強部材が、前記本体の外郭と面一であることにより、前述した課題を解決するものである。
【０００９】
この態様の衛生洗浄装置によれば、上面板と接続されている補強部材が、便蓋を開いた状態において回動軸取付部より上方で側面板の前後方向における一端から上面板と接続されている他端まで側面板と接続されていることにより、便蓋の曲げ強度をより一層向上させることができる。
さらに、便蓋を開いた状態において補強部材が、本体の外郭と面一であることにより、便蓋と本体との境界が清掃しやすい衛生洗浄装置を提供することができることに加え、便蓋を開いた状態において回動軸取付部周辺に埃が溜まりにくくなるため、本体と回動軸取付部とが入り組んだ形状となっていて両者の外観が不連続である衛生洗浄装置に比べて清掃の手間を削減することができる。
【００１０】
また、より好ましい態様の衛生洗浄装置は、前記便座が、使用者の臀部を暖める暖房便座であり、前記補強部材の前記側面板の一端側が、前記便蓋を開いた状態において前記側面板の下端と化粧部材で接続されていることにより、前述した課題を解決するものである。
【００１１】
この態様の衛生洗浄装置によれば、補強部材の側面板の一端側が、便蓋を開いた状態において側面板の下端と化粧部材で接続されていることにより、便蓋を閉じた状態において暖房便座が配置される衛生洗浄装置の前方部と後方部とをより確実に隔離するため、暖房便座が発している熱を外部に逃しにくくなり、熱が散逸することを抑制し、便蓋の保温性能を向上することができる。
【００１２】
また、より好ましい態様の衛生洗浄装置は、前記回動軸取付部と前記補強部材との間に形成されている空間が、前記回動軸取付部と前記補強部材とを接続する接続部材によって仕切られていることにより、前述した課題を解決するものである。
【００１３】
この態様の衛生洗浄装置によれば、回動軸取付部と補強部材との間に形成されている空間が、回動軸取付部と補強部材とを接続する接続部材によって仕切られていることにより、熱対流が起こりにくい程度に空間が接続部材により小分割されるため、便蓋を閉じた状態における便蓋と本体との前後方向の隙間から熱が散逸することを抑制し、さらに便蓋の保温性能を向上することができる。
【発明の効果】
【００１４】
本発明により、使用者が便蓋に印加した力が便蓋を回動軸の軸方向に集約されて、簡便に便蓋を本体から取り外すことができる。
【図面の簡単な説明】
【００１５】
【図１】本発明の実施形態の衛生洗浄装置の外観斜視図。
【図２】本発明の実施形態の便蓋を開いた状態における外観斜視図。
【図３】本発明の実施形態の便蓋を開いた状態における左側面図。
【図４】図３のＡ−Ａ矢視断面図。
【図５】図４のＢ部拡大図。
【図６】図４のＣ−Ｃ矢視断面図。
【図７】本発明の実施形態の便蓋の回動軸取付部周辺の構造を示す断面図。
【図８】本発明の実施形態の便蓋の回動軸取付部周辺の別の構造を示す断面図。
【図９】本発明の実施形態の便蓋を閉じた状態の側部断面図。
【図１０】本発明の参考例の便蓋の回動軸取付部周辺の構造を示す断面図。
【発明を実施するための形態】
【００１６】
＜実施形態＞
以下に、本発明の実施形態である、衛生洗浄装置１００について、図１乃至図９に基づいて説明する。
【００１７】
図１は、本発明の実施形態の衛生洗浄装置１００の外観斜視図であり、大便器Ｔに衛生洗浄装置１００が載置されている。
【００１８】
衛生洗浄装置１００は、前方に使用者が着座するための便座（図示されていない）を備え、後方に衛生洗浄装置１００の機能部が集約されている本体１２０を備え、さらに便座を覆う樹脂製の便蓋１１０を備えている。
なお、便座は使用者の臀部を暖める暖房便座である。
【００１９】
図１は、便蓋１１０を閉じた状態における衛生洗浄装置１００の外観斜視図であり、便蓋１１０と本体１２０の上面の外郭を形成する本体上面部１２３とが仮想的に滑らかに接続されるように、便蓋１１０および本体１２０の外観が形成されている。
これにより、便蓋１１０と本体１２０との間に埃が溜まるような段差がないため、便蓋１１０を閉じた状態において衛生洗浄装置１００を簡便に清掃することができる。
【００２０】
続いて、便蓋１１０を開いた状態における衛生洗浄装置１００について説明する。
図２は、本発明の実施形態の便蓋１１０を開いた状態における外観斜視図である。
【００２１】
便蓋１１０は、便座に使用者が着座した際に使用者の背中に対面する上面板１１１と、この上面板１１１の周端部と全周にわたって接続して便蓋１１０の側方を形成する側面板１１２とから少なくとも形成されている。
また、便蓋１１０は、本体１２０の側面を挟持するように本体１２０に取り付けられている（なお、詳細な挟持構造については後述する。）。
【００２２】
図３は、本発明の実施形態の便蓋１１０を開いた状態における左側面図である。
便蓋１１０は、本体１２０の前後方向のおおよそ中央で本体１２０に取り付けられている。
すなわち、便蓋１１０は本体１２０の後端部より前方で本体１２０に取り付けられている。
【００２３】
図４は、図３におけるＡ−Ａ矢視断面図である。
前述のように、便蓋１１０は、本体１２０の側面を挟持するように本体１２０に取り付けられている。
【００２４】
図５は、図４におけるＢ部拡大図である。
本体１２０の左方側面からは、本体１２０から円筒形状の回動軸１２１が左方に向けて突出している。
また、本体１２０の右方側面には、開閉ユニット回動軸１３１を有し便蓋１１０を電動開閉する開閉ユニット１３０が本体１２０内に備えられている。
そして、開閉ユニット回動軸１３１の中心軸は、本体１２０の左方に設けられた回動軸１２１の中心軸と一致している。
【００２５】
便蓋１１０は、左方の側面板１１２から内方（すなわち右方）に向かって突出している回動軸取付部１１３と、右方の側面板１１２から内方（すなわち左方）に向かって突出している開閉ユニット回動軸取付部１１４とを更に有している。
【００２６】
回動軸取付部１１３は、後述する図７にもあるように、円筒形状の回動軸挿入穴外壁１１３ｂにより回動軸挿入穴１１３ａが形成されている。
そして、回動軸挿入穴１１３ａの中心は、回動軸１２１の中心軸と一致している。
【００２７】
開閉ユニット回動軸取付部１１４は、後述する図６にもあるように、円筒形状の開閉ユニット回動軸挿入穴外壁１１４ｂにより開閉ユニット回動軸挿入穴１１４ａが形成されている。
そして、開閉ユニット回動軸挿入穴１１４ａの中心は、開閉ユニット回動軸１３１の中心軸と一致している。
【００２８】
便蓋１１０は、回動軸１２１の端部１２１ａが便蓋１１０の回動軸取付部１１３に設けられた挿入穴である回動軸挿入穴１１３ａに挿入され、開閉ユニット回動軸１３１が便蓋１１０の開閉ユニット回動軸取付部１１４に設けられた開閉ユニット回動軸挿入穴１１４ａに挿入されることで、本体１２０の側面を挟持するように本体１２０に取り付けられている。
【００２９】
続いて、図４におけるＣ−Ｃ矢視断面図である図６を用いて便蓋１１０の開き角について説明する。
図６における（ａ）部は、図６におけるＥ部の拡大図である。
本体１２０から突出した開度規制部１２２が、開閉ユニット回動軸取付部１１４から下方に突出した突起１１４ｃと接触している。
これにより、便蓋１１０の開き角θが規定され、便蓋１１０が必要以上に後ろに倒れることを抑制している。
なお、本実施形態において、開度規制部１２２が突起１１４ｃと係合して便蓋１１０の開いている状態（以下、「便蓋１１０を開いた状態」という。）における便蓋の開き角θはおおよそ１０６度であるが、便蓋の開き角θはこの角度に限定されるものではない。
【００３０】
続いて、図７を用いて、便蓋１１０を開いた状態における回動軸取付部１１３付近の詳細構造について説明する。
図７は、本発明の実施形態の便蓋１１０の回動軸取付部１１３周辺の構造を示す断面図である。
【００３１】
上面板１１１は、回動軸取付部１１３より上方にある便蓋１１０の曲げ強度を増す補強部材１１５により側面板１１２と更に接続されている。
【００３２】
補強部材１１５は、回動軸取付部１１３の上方で、回動軸取付部１１３の回動軸挿入穴外壁１１３ｂの外周と一体になっている。
これにより、使用者が便蓋１１０を本体１２０から取り外すために回動軸取付部１１３を掴んで回動軸１２１の軸方向（すなわち外方）に便蓋１１０の側面板１１２を広げる時に、上面板１１１と側面板１１２との境界部を支点とする側面板１１２の外方への曲げが抑制される。
【００３３】
さらに、上面板１１１が、補強部材１１５によって側面板１１２と接続されていることにより、使用者が便蓋１１０を本体１２０から取り外すために回動軸取付部１１３を掴んで回動軸１２１の外方に便蓋１１０の側面板１１２を広げる時に、上面板１１１と側面板１１２との境界における応力集中が補強部材１１５のない便蓋１１０に比べて緩和されるため、便蓋１１０を本体１２０から取り外す際の便蓋１１０の破損を抑制することができる。
【００３４】
なお、図８は本発明の実施形態の便蓋１１０の回動軸取付部１１３周辺の別の構造を示す断面図であるが、図８のように接続部材１１７を介して補強部材１１５が回動軸取付部１１３と一体になっていても良い。
【００３５】
次に、図７に戻り補強部材１１５について更に詳述する。
また、上面板１１１と接続されている補強部材１１５が、便蓋１１０を開いた状態において回動軸取付部１１３より上方で側面板１１２の前後方向における一端（前端１１２ａ）から上面板１１１と接続されている他端（後端１１２ｂ）まで側面板１１２と接続されている。
すなわち、図２および図５に示すように、便蓋１１０を開いた状態において補強部材１１５が、本体１２０の外郭の一部である本体上面部１２３と前後方向及び左右方向で面一となっている。
換言すれば、別部材である補強部材１１５と本体上面部１２３とが一つの仮想的な曲面を形成している。
これにより、便蓋１１０を開いた状態において回動軸取付部１１３周辺に埃が溜まりにくくなる。
【００３６】
さらに、補強部材１１５の側面板１１２の前端１１２ａ側が、側面板１１２の下端１１２ｃと化粧部材１１６で接続されている。
【００３７】
そして、便蓋１１０を閉じた状態の側部断面図である図９のように、化粧部材１１６は本体前面部１２４と隙間Ａを介して対向しており、ほぼ同一の曲率で湾曲している。
化粧部材１１６と本体前面部１２４とが、ほぼ同一の曲率で湾曲していることにより、化粧部材１１６と本体前面部１２４との間の隙間Ａがほぼ同じ幅で形成されるようになる。
【００３８】
なお、隙間Ａは、便蓋１１０が回動する際に本体前面部１２４と接触しない程度であればよい。
このように、隙間Ａを極力狭くすることで、便座が配置される衛生洗浄装置１００の前方部と後方部とをより確実に隔離している。
【００３９】
また、図７のように、回動軸取付部１１３と補強部材１１５および化粧部材１１６との間は、樹脂で充填されているのではなく、樹脂成形の特性を考慮して補強部材１１５、化粧部材１１６や回動軸挿入穴外壁１１３ｂとほぼ同程度の厚さの接続部材１１７によって接続されている。
これにより、回動軸取付部１１３と補強部材１１５との間が複数の空間Ｖに小分割されている。
なお、この空間Ｖは内部で熱対流が起こりにくい程度の空間となっている。
【００４０】
以上、回動軸取付部１１３付近の詳細構造について説明したが、開閉ユニット回動軸取付部１１４が同じ構造であってもよい。
【００４１】
すなわち、便蓋１１０の右方側も、上面板１１１と側面板１１２が便蓋１１０の曲げ強度を増す補強部材１１５によりに接続され、この補強部材１１５が、開閉ユニット回動軸取付部１１４と一体となっていてもよい。
【００４２】
さらに、上面板１１１と接続されている補強部材１１５が、便蓋１１０を開いた状態において開閉ユニット回動軸取付部１１４より上方で側面板１１２の前後方向における一端（前端）から上面板１１１と接続されている他端（後端）まで側面板１１２と接続されていてもよい。
【００４３】
さらに、補強部材１１５の側面板１１２の一端（前端１１２ａ）側が、便蓋１１０を開いた状態において側面板１１２の下端１１２ｃと化粧部材１１６で接続されていてもよい。
【００４４】
さらに、開閉ユニット回動軸取付部１１４と補強部材１１５および化粧部材１１６との間に形成されている空間Ｖが、開閉ユニット回動軸取付部１１４と補強部材１１５および化粧部材１１６とを接続する接続部材１１７によって仕切られていてもよい。
【００４５】
これらの開閉ユニット回動軸取付部１１４付近の詳細構造が奏する効果は、回動軸取付部１１３付近の詳細構造が奏する効果と同様であることに加え、回動軸取付部１１３が奏する効果を更に高めることができる。
【００４６】
このようにして得られた本実施形態の衛生洗浄装置１００は、便蓋１１０の曲げ強度を増す補強部材１１５が、回動軸取付部１１３と一体となっていることにより、使用者が便蓋１１０を本体１２０から取り外すために回動軸取付部１１３を掴んで回動軸１２１の軸方向に便蓋１１０の側面板１１２を広げる時に、上面板１１１と側面板１１２との境界部を支点とする側面板１１２の回動軸１２１外方への曲げが抑制されるため、使用者が便蓋１１０に印加した力が便蓋１１０を回動軸１２１の軸方向に集約されて、簡便に便蓋１１０を本体１２０から取り外すことができる。
【００４７】
また、上面板１１１と接続されている補強部材１１５が、便蓋１１０を開いた状態において回動軸取付部１１３より上方で側面板１１２の前後方向における一端（前端１１２ａ）から上面板１１１と接続されている他端（後端１１２ｂ）まで側面板１１２と接続されていることにより、便蓋１１０の曲げ強度をより一層向上させることができる。
【００４８】
また、便蓋１１０を開いた状態において補強部材１１５が、本体１２０の外郭である本体上面部１２３と面一であることにより、便蓋１１０と本体１２０との境界が清掃しやすい衛生洗浄装置１００を提供することができることに加え、便蓋１１０を開いた状態において回動軸取付部１１３周辺に埃が溜まりにくくなるため、本体と回動軸取付部とが入り組んだ形状となっていて両者の外観が不連続である衛生洗浄装置に比べて清掃の手間を削減することができる。
【００４９】
また、補強部材１１５の側面板１１２の一端（前端１１２ａ）側が、便蓋１１０を開いた状態において側面板１１２の下端１１２ｃと化粧部材１１６で接続されていることにより、便蓋１１０を閉じた状態において暖房便座である便座が配置される衛生洗浄装置１００の前方部と後方部とをより確実に隔離するため、便座が発している熱を外部に逃しにくくなり、熱が散逸することを抑制し、便蓋１１０の保温性能を向上することができる。
【００５０】
また、回動軸取付部１１３と補強部材１１５および化粧部材１１６との間に形成されている空間Ｖが、回動軸取付部１１３と補強部材１１５および化粧部材１１６とを接続する接続部材１１７によって仕切られていることにより、熱対流が起こりにくい程度に空間Ｖが接続部材１１７により小分割されるため、便蓋１１０を閉じた状態における便蓋１１０と本体１２０との前後方向の隙間から熱が散逸することを抑制し、さらに便蓋１１０の保温性能を向上することができる。
【００５１】
＜変形例＞
以上、本発明を実施するための形態について説明したが、本発明は上記に限定されるものではない。
本発明は、使用者が着座する便座と、該便座を覆うと共に上面板および該上面板に接続された側面板から少なくとも構成される便蓋と、該便蓋の回動軸を有する本体とを備えており大便器に載置される衛生洗浄装置において、前記便蓋が、該便蓋の側面板から内方に突出している回動軸取付部を有し、前記本体の後端部より前方に設けられる前記回動軸の端部が、前記回動軸取付部の挿入穴に挿入され、前記上面板が、前記便蓋の曲げ強度を増す補強部材により前記側面板と更に接続され、前記補強部材が、前記回動軸取付部と一体となっているものであり、使用者が便蓋に印加した力が便蓋を回動軸の軸方向に集約されて、簡便に便蓋を本体から取り外すことができるものであれば、その具体的な実施態様は、如何なるものであっても構わない。
【００５２】
例えば、開閉ユニットは本体の両側に設けてもよいし、そもそも備えなくともよい。
また、本実施形態においては、開閉ユニットは便蓋を電動開閉するものであったが、便蓋を開く時の速度と便蓋を閉じる時の速度を変えるようなダンパー機構を有するものであってもよいし、便蓋の左方に取り付けられていた単なる回動軸であってもよい。
【００５３】
例えば、補強部材と回転軸取付部とが一体でありさえすれば、接続部材の形状は如何なるものであってもよいし、そもそも接続部材を備えなくともよい。
【００５４】
なお、図１０は本実施形態の参考例であり、補強部材１１５が回転軸取付部１１３と一体になっていないものの、本体上面部１２３との間で一つの仮想的な曲面を形成している。
このような形状においては、本体１２０の後端部より前方に設けられる回動軸１２１の端部が、便蓋１１０の回動軸取付部１１３の挿入穴１１３ａに挿入される場合、補強部材１１５が回転軸取付部１１３と一体になっていないため、簡便に便蓋１１０を本体１２０から取り外すことはできないものの、本体と回動軸取付部とが入り組んだ形状となっていて両者の外観が不連続である衛生洗浄装置に比べて清掃の手間を削減することはできる。
【００５５】
そして、前述した各実施形態が備える各要素は、技術的に可能である限り組み合わせることができ、これらを組み合わせたものも本発明の特徴を含む限り本発明の範囲に包含される。
【符号の説明】
【００５６】
１００  ・・・  衛生洗浄装置
１１０  ・・・  便蓋
１１１  ・・・  上面板
１１２  ・・・  側面板
１１２ａ・・・  前端（一端）
１１２ｂ・・・  後端（他端）
１１２ｃ・・・  下端
１１３  ・・・  回動軸取付部
１１３ａ・・・  回動軸挿入穴（挿入穴）
１１３ｂ・・・  回動軸挿入穴外壁
１１４  ・・・  開閉ユニット回動軸取付部
１１４ａ・・・  開閉ユニット回動軸挿入穴
１１４ｂ・・・  開閉ユニット回動軸挿入穴外壁
１１４ｃ・・・  突起
１１５  ・・・  補強部材
１１６  ・・・  化粧部材
１１７  ・・・  接続部材
１２０  ・・・  本体
１２１  ・・・  回動軸
１２１ａ・・・  端部
１２２  ・・・  開度規制部
１２３  ・・・  本体上面部（外郭）
１２４  ・・・  本体前面部
１３０  ・・・  開閉ユニット
１３１  ・・・  開閉ユニット回動軸
Ａ    ・・・  隙間
Ｔ    ・・・  大便器
θ    ・・・  便蓋の開き角
【図１】
0006544706.tif 000002
【図２】
0006544706.tif 000003
【図３】
0006544706.tif 000004
【図４】
0006544706.tif 000005
【図５】
0006544706.tif 000006
【図６】
0006544706.tif 000007
【図７】
0006544706.tif 000008
【図８】
0006544706.tif 000009
【図９】
0006544706.tif 000010
【図１０】
0006544706.tif 000011